(57)【要約】【課題】有料道路における料金所での通行料金の支払いを省きいて停車時間を短縮する、インターネットを利用した普及容易な有料道路通行予約システムにある。【解決手段】有料道路通行予約システムは、道路管理者に通行予約の手続きをインターネット４０を通じて行う、プリンタを備えるユーザコンピュータ１０と、道路管理者が利用者の予約情報を登録するデータベース２１を備えるサーバ２０と、インターチェンジの料金所で、係員が通行予約証をチェックするバーコードリー３２ダを備える料金所コンピュータ３０と、を有する。【選択図】      図１
2004178415.tif 000002
【特許請求の範囲】
【請求項１】
利用者が有料道路に進入する前に、有料道路の通行を予約して、有料道路出口インターチェンジのゲートで料金支払いの停車を不要にする有料道路通行予約システムにおいて、
有料道路の通行を予約する通行予約証を利用者にインターネットを通じて発行し、前記通行予約証を出口ゲートで提示して、短時間で前記出口ゲートを通過し、通行料金をインターネトのプロバイダを通じて支払うことを特徴とする有料道路通行予約システム。
【請求項２】
前記有料道路通行予約システムは、
利用者が道路管理者に対して通行予約の手続きを行う、プリンタを備えるユーザコンピュータと、
前記道路管理者が、前記利用者の予約情報を審査して登録するデータベースを備え、通行料金の請求を利用者加入の前記プロバイダに行うサーバと、
前記出口インターチェンジゲートの料金所で、係員が前記通行予約証を読み取るバーコードリーダを備える料金所コンピュータと、
を有することを特徴とする請求項１記載の有料道路通行予約システム。
【請求項３】
前記予約情報は、
前記ユーザコンピュータから入力する、利用者名と、通行予約日時と、入口インターチェンジと、主要な中途経路と、出口インターチェンジと、車種と、メールアドレスと、
を含むことを特徴とする請求項１記載の有料道路通行予約システム。
【請求項４】
前記通行予約証は、
前記ユーザコンピュータのプリンタで、利用者の氏名と、通行日と、主要な通行路線と、入口インターチェンジと、出口インターチェンジと、車種と、予約番号と、をコンピュータ用紙に印字し、前記予約番号をバーコードでプリントされることを特徴とする請求項１記載の有料道路通行予約システム。
【請求項５】
前記予約番号は、
前記データベースに登録された予約情報に対して付与される番号で、不正防止情報が付加された番号であることを特徴とする請求項４記載の有料道路通行予約システム。
【請求項６】
前記利用者は、
インターネットに加入し、プロバイダに支払い口座を開設していることを特徴とする請求項１，２，３，４記載の有料道路通行予約システム。
【発明の詳細な説明】
【０００１】
【発明の属する技術分野】
この発明は、有料道路の通行及び通行料金支払いのシステムに関し、特に、インターネット利用者が有料道路の通行予約証を道路管理者から事前に入手し、ゲート料金所を通行予約証を提示して短時間に通過し、通行料金をプロバイダを通じて支払う有料道路通行予約システムに関する。
【０００２】
【従来の技術】
従来、有料道路における通行料金の支払い方法には、出口インターチェンジの料金所で、現金、又はハイウェイカードで停車して支払う、あるいは自動支払いのＥＴＣで無停車で通過する、の二つの方法がある。ＥＴＣによる支払いは、料金所を無停車で通過できるため、渋滞の原因を解消するが、自動車にＥＴＣの車載装置を設備する必要があるため、頻繁に有料道路を利用しない利用者には負担が大きい。また、現金、又はハイウェイカードによる支払いは、料金所で停車する必要があるため、渋滞の原因を解消しない。
【０００３】
従来のＥＴＣによらないで、無停車で料金支払いができる仕方に、予め車両番号を登録しておき、ゲートで車両番号を読み取り、通行料を先払い、あるいは後払いする仕方がある（例えば、特許文献１及び文献２を参照。）
これは、車両番号登録済み車両にとっては、便利な仕方だが、車両の急な変更、車両番号プレートが汚れていたり、取り付け個所が通常と異なる、あるいは外界の光線の具合で、車両番号の読み取りが正確にできないなどトラブルになる場合がある。
【０００４】
【特許文献１】
特開平１０−１３４２１８号公報（図１及び項番００１６）
【特許文献２】
特開平９−２３１４１６号公報（図１及び項番００２４）
【０００５】
【発明が解決しようとする課題】
上述したように、有料道路における料金所での通行料金の支払いにおいて、３つの方法があった。
【０００６】
１つ目の方法は、現金による精算である。この方法では、入り口ゲートで受け取る通行券の提示、現金の支払い、釣り銭の受け取り、及び、レシートの受け取り等に時間がかかり、有料道路の渋滞の原因となる。
【０００７】
２つ目の方法は、ハイウェイカードによる精算である。この方法では、現金による支払いに比べると、釣り銭の受け取り時間は発生しないが、ハイウェイカードの残金が通行料金よりも下回っていた場合、新しいハイウェイカードの提示か、現金での支払いをしなければならない。また、高速道路の利用頻度が少ない利用者にとって、ハイウェイカード自体を事前に購入しない、あるいは購入しても利用の機会が少ないため、残金がいつまでも残り有効利用ができない、という問題で、利用普及が進まない。
【０００８】
３つ目の方法は、ＥＴＣによる料金支払いである。この方法では、通行証の提示、現金の支払い、釣り銭の受け取り、及び、レシートの受け取りなどの時間は発生しないが、利用者のＥＴＣ導入費用が高価であるため、導入を躊躇する利用者は少なくない。また、ＥＴＣを導入するためには、料金所にＥＴＣ専用レーンを設置しなければならないため、ＥＴＣに対応していない料金所においては、上記の１つ目あるいは２つ目の方法で料金精算をしなければならなかった。
【０００９】
以上の問題を解消あるいは軽減するため、事前に、道路管理者から通行予約証をインターネットを通じて受け取り、該通行予約証を出口ゲートの料金所で提示する短時間の停車で、ゲートを通過し、渋滞の原因を軽減する。また、利用者は、インターネットで通行予約証の発給を受ける際に、通行料金をプロバイダに開設した口座で支払うので、道路管理者にとって支払いを確実にできる。したがって、インターネット利用者が気軽に利用できる普及容易な方法を提供する。
【００１０】
この発明の目的は、有料道路における出口ゲートの料金所で、通行予約証を提示して通過し、有料道路渋滞の一因となっている停車時間を短縮する。
【００１１】
更に、他の目的は、インターネットの加入者が、ユーザコンピュータから通行予約証を入手し、通行料金をプロバイダを通じて支払うので、誰でもが手軽に利用できる普及容易な仕方にある。
【００１２】
更に、他の目的は、道路管理者がインターネット利用者の口座から支払いを事後に確実に受けることができる仕組みにある。
【００１３】
【課題を解決するための手段】
そのため、この発明の、利用者が有料道路に進入する前に、有料道路の通行を予約して、有料道路出口インターチェンジのゲートで料金支払いの停車を不要にする有料道路通行予約システムにおいて、有料道路の通行を予約する通行予約証を利用者にインターネットを通じて発行し、前記通行予約証を出口ゲートで提示して、短時間で前記出口ゲートを通過し、通行料金をインターネットのプロバイダを通じて支払うことを特徴とする。
【００１４】
更に、前記有料道路通行予約システムは、利用者が道路管理者に対して通行予約の手続きを行う、プリンタを備えるユーザコンピュータと、前記道路管理者が、前記利用者の予約情報を審査して登録するデータベースを備え、通行料金の請求を利用者加入の前記プロバイダに行うサーバと、前記出口インターチェンジゲートの料金所で、係員が前記通行予約証を読み取るバーコードリーダを備える料金所コンピュータと、を有することを特徴とする。
【００１５】
更に、前記予約情報は、前記ユーザコンピュータから入力する、利用者名と、通行予約日時と、入口インターチェンジと、主要な中途経路と、出口インターチェンジと、車種と、メールアドレスと、を含むことを特徴とする。
【００１６】
更に、前記通行予約証は、前記ユーザコンピュータのプリンタで、利用者の氏名と、通行日と、主要な通行路線と、入口インターチェンジと、出口インターチェンジと、車種と、予約番号と、をコンピュータ用紙に印字し、前記予約番号をバーコードでプリントされることを特徴とする。
【００１７】
更に、前記予約番号は、前記データベースに登録された予約情報に対して付与される番号で、不正防止情報が付加された番号であることを特徴とする。
【００１８】
更に、前記利用者は、インターネットに加入し、プロバイダに支払い口座を開設していることを特徴とする。
【００１９】
【発明の実施の形態】
この発明について、図面を参照して説明する。図１はインターネットによる有料道路通行予約システムの実施の形態を示す。利用者が使用するユーザコンピュータ１０と、道路管理者のサーバ２０と、有料道路ゲートの料金所に設置される料金所コンピュータ３０と、ユーザコンピュータ１０とサーバ２０とを接続するインターネット４０と、サーバ２０と料金所コンピュータ３０とを接続する専用通信回線５０と、を備える。
【００２０】
ユーザコンピュータ１０は、予約情報をサーバ２０にインターネット４０を通じて送信するパーソナルコンピュータ１１と、文字及びバーコードによる通行予約証をコンピュータ用紙にプリントするプリンタ１２と、を備える。
【００２１】
サーバ２０は、利用者の有料道路通行予約情報を登録し、利用者の通行料金を図示しないプロバイダに請求し、料金所コンピュータからの予約番号に基づく問い合わせに対し、予約情報を検索するデータベース２１を備える。
【００２２】
料金所コンピュータ３０は、予約番号をサーバ２０に送信するパーソナルコンピュータ３１と、利用者が提示する予約通行証のバーコードを読み取るバーコードリーダ３２を備え、読み取ったバーコードの予約番号に基づいて、サーバ２０に予約情報を照会する。料金所コンピュータ３１とサーバコンピュータ２０との間の通信は専用通信回線５０によって、瞬時に行われるものとする。
【００２３】
次に、この実施の形態における有料道路予約通行システムの動作について説明する。図２は有料道路通行予約を利用者が道路管理者に対して行う手順を示す。先ず、利用者が、インターネット４０に接続されており、かつ、プリンタ１２が接続されているユーザコンピュータ１１で、インターネット４０を通じて、サーバ２０の有料道路通行予約画面に対して、要求される予約情報１０１を入力する。要求される予約情報１０１は、利用者の、氏名と、住所と、電話番号と、車種と、メールアドレスと、通行予定の路線と、入り口・出口のインターチェンジを含む。利用者は、予約情報１０１をサーバ２０に対して送信する。インターネット４０を経由して、予約情報１０１を受信したサーバ２０は、受信した予約情報１０１の妥当性をチェックする。予約情報１０１にミスがあった場合、パーソナルコンピュータ１１に対してエラーメッセージを送信し、予約情報の再入力を指示する。チェック対象の項目として、経路とインターチェンジの整合性、プロバイダに開設した口座の有効性、があげられる。予約情報１０１が妥当であるとき、通行料金の算出並びに予約番号に付加情報を付してバーコードデータの作成を行う。また、バーコードデータを作成について、該付加情報は、一件の予約情報に対して、唯一性を保証し、かつ不正を防止する情報を含む。サーバ２０は、ユーザコンピュータ１１に、該バーコードデータと、通行路線名と、入り口・出口のインターチェンジと、予約した通行日と、を含む通行予約証データ１０２を送信する。並行して、サーバ２０は、バーコードデータと、氏名と、メールアドレスと、住所と、電話番号と、車種と、通行路線と、入り口・出口インターチェンジと、の各データをデータベース２１に登録格納する。ユーザコンピュータ１１１は、サーバ２０からの通行予約証データを、接続されているプリンタ１２に通行予約証を出力する。この通行予約証は、コンピュータ用紙に文字及びバーコードでプリントされる。利用者は、該通行予約証を入手する。
【００２４】
図３は、有料道路通行時を示す図である。まず、料金所の係員は、利用者から通行予約証を受け取り、該通行予約証を料金所に設置されている料金所コンピュータ３０のバーコードリーダ３２に当てる。パーソナルコンピュータ３１は、バーコードリーダ３２からのバーコードデータを受信し、解析する。パーソナルコンピュータ３１は、解析したバーコードデータの予約番号に基づく通行予約問い合わせ１１１を、専用通信回線５０を経由して、サーバ２０に送信する。料金所コンピュータ３０からデータを受信したサーバ２０は、予約番号を使い、データベース上の通行予約情報と照合する。照合の結果、予約番号が正当なものであった場合、サーバ２０は、料金所コンピュータ３０に通行許可１１２を送信する。通行許可１１２を受信した料金所コンピュータ３０は車両の通行を許可する。また、バーコードデータが正当なものでなかった場合は、料金所コンピュータ３０に正当でない理由を送信する。このデータを受け取った料金所コンピュータ３０は車両の通行予約証を無効にする。
【００２５】
図４は通行予約証６０を例示する図である。該通行予約証６０は、氏名と、予約日と、通行路線と、入り口のインターチェンジと、出口のインターチェンジと、予約番号と、が印字され、不正防止の付加情報を付した予約番号がバーコードでプリントされる。
【００２６】
【発明の効果】
以上説明したように、この発明のインターネットによる有料道路通行予約システムの効果は、利用者がインターネットを利用し、有料道路を通行前に、通行予約・料金決済することにより、料金所で料金支払いの停車時間を従来の方法に比べ大幅に短縮することができる。その理由は、事前に通行予約証を作成し、料金所で該通行予約証を提示することにより、道路渋滞の一因である料金支払い及びレシートの受け取り時間をなくすことができるからである。
【００２７】
更に、他の効果は、インターネットを通じて、ユーザコンピュータで、容易に通行予約証の発行及び料金支払い口座の通知ができるので、普及容易なことである。その理由は、利用者が所持するユーザコンピュータのプリンタにコンピュータ用紙で通行予約証がプリントされ、料金支払いがプロバイダに開設した口座を通じてなされるため、インターネット利用者が手軽に利用できるからである。
【図面の簡単な説明】
【図１】この発明の有料道路通行予約システムの実施の形態を示す図である。
【図２】図１における通行予約の手順を示す図である。
【図３】図１における有料道路利用の手順を示す図である。
【図４】通行予約証を例示する図である。
【符号の説明】
１０    ユーザコンピュータ
１１    パーソナルコンピュータ
１２    プリンタ
２０    サーバ
２１    データベース
３０    料金所コンピュータ
３１    パーソナルコンピュータ
３２    バーコードリーダ
４０    インターネット
５０    専用通信回線
６０    通行予約証
【図１】
2004178415.tif 000003
【図２】
2004178415.tif 000004
【図３】
2004178415.tif 000005
【図４】
2004178415.tif 000006